(57)【特許請求の範囲】
【請求項１】
底部と、
前記底部と対向する天井部と、
前記底部と前記天井部とを連結する側壁部と、
前記底部、前記天井部、および前記側壁部により囲まれる内部空間に固定設置されるラック（ｒａｃｋ）とを含み、
前記側壁部の一面と前記底部とが接する角部を支持するアンカーユニットをさらに含み、
前記アンカーユニットは、前記側壁部と互いに対向する第１の部材と、
前記底部と平行な方向に前記第１の部材の下端部から延びる第２の部材と、
前記第１の部材と前記第２の部材とを連結し、前記第１の部材と前記第２の部材とを支持するリブ部材と、
前記第１の部材から前記側壁部に向かって突出し、前記側壁部の溝に挿入されるプレート形状の突出部材とを含むことを特徴とする、コンテナ。
【請求項２】
前記ラックは、前記側壁部に固定されるように設置されることを特徴とする、請求項１に記載のコンテナ。
【請求項３】
ボルト結合により前記ラックが前記側壁部に固定されることを特徴とする、請求項２に記載のコンテナ。
【請求項４】
前記ラックは、前記側壁部に向かって突出する壁面突出部を備え、
前記壁面突出部は、前記ラックの上部および中央部から突出することを特徴とする、請求項２に記載のコンテナ。
【請求項５】
前記ラックは、複数個が一列に連結され、
前記ラックは、隣接するラックとボルトにより互いに締結されることを特徴とする、請求項１に記載のコンテナ。
【請求項６】
前記ラックは、隣接するラックに接する側面部を含み、
前記ボルトは、前記側面部に締結されることを特徴とする、請求項５に記載のコンテナ。
【請求項７】
前記底部の一側に位置するラックと前記底部の他側に位置するラックを互いに連結するクロスバーを含み、
前記クロスバーは、前記底部の一側に位置するラックと前記底部の他側に位置するラックとの相対的な移動を制限することを特徴とする、請求項１に記載のコンテナ。
【請求項８】
前記ラックは、前記ラックを上下方向に支持するラックポストを含み、
前記クロスバーは、前記ラックポストに連結されることを特徴とする、請求項７に記載のコンテナ。
【請求項９】
前記クロスバーは、前記ラックポストの最上部に連結されることを特徴とする、請求項８に記載のコンテナ。
【請求項１０】
前記底部の一側に位置する複数個のラックが一列に連結されて形成される第１のラック列と、
前記底部の他側に位置する複数個のラックが一列に連結されて形成される第２のラック列と、
前記第１のラック列と前記第２のラック列を互いに連結するクロスバーとを含み、
前記クロスバーは、前記第１のラック列と前記第２のラック列との相対的な移動を制限することを特徴とする、請求項１に記載のコンテナ。
【請求項１１】
前記第１のラック列は、前記第１のラック列を上下に支持する第１のラック列ポストを含み、
前記第２のラック列は、前記第２のラック列を上下に支持する第２のラック列ポストを含み、
前記クロスバーは、前記第１のラック列ポストおよび前記第２のラック列ポストに連結されることを特徴とする、請求項１０に記載のコンテナ。
【請求項１２】
前記クロスバーは、前記第１のラック列ポストの最上部と前記第２のラック列ポストの最上部とを互いに連結することを特徴とする、請求項１１に記載のコンテナ。
【請求項１３】
角をなして接する前記側壁部の二つの面と前記底部とが接するコーナキャスティング（ｃｏｒｎｅｒ ｃａｓｔｉｎｇ）部を囲む補強部材をさらに含むことを特徴とする、請求項１に記載のコンテナ。
【請求項１４】
前記ラックは複数個が一列に連結され、
それぞれの前記ラックは、前記ラックを上下方向に支持するラックポストを含み、
前記ラックポストと前記ラックポストとを互いに連結して固定させるブラケットをさらに含むことを特徴とする、請求項１に記載のコンテナ。
【発明の詳細な説明】
【技術分野】
【０００１】
本出願は、２０１６年１月７日付けの韓国特許出願第２０１６−０００２０４３号に基づく優先権の利益を主張し、該当韓国特許出願の文献に開示されている全ての内容は、本明細書の一部として組み込まれる。
【０００２】
本発明は、コンテナに関し、より詳細には、震動にも揺れないように耐震性を有するコンテナに関する。
【背景技術】
【０００３】
コンテナ（ｃｏｎｔａｉｎｅｒ）は、貨物を経済的に輸送するために使用する箱型容器を意味する。かかるコンテナは、衣類、電子製品、家具、農産物などの様々な貨物を貯蔵および運搬するために使用することができる。特に、二次電池などのバッテリーを積載、保管、および運搬するために使用することもできる。
【０００４】
特に、内部に多数のバッテリーを備えてエネルギーを貯蔵することができるコンテナをＢＥＳＳコンテナ（Ｂａｔｔｅｒｙ  Ｅｎｅｒｇｙ  Ｓｔｏｒａｇｅ  Ｓｙｓｔｅｍ  Ｃｏｎｔａｉｎｅｒ）という。
【０００５】
かかるＢＥＳＳコンテナでは、地震などによる震動の発生時にも揺れないように作製されることが非常に重要であり得る。震動によってバッテリーが不安定になると、バッテリーは過熱または爆発する恐れがあるためである。
【０００６】
従来のコンテナは、このように震動を防止するための構造が設けられておらず問題があった。特に、ＩＳＯ規格コンテナ（ＩＳＯ  ４０ｆｔＨＣなど）サイズの中で耐震規格を満たすための構造の変更はさらに難しい。
【０００７】
また、ＢＥＳＳコンテナは、エネルギー密度が高くなければならない特性のため、コンテナ内に多くのバッテリーラック（Ｒａｃｋ）および構成装備が設置されており、荷重が大きいことから、特に耐震規格を満たし難いという点がある。
【発明の概要】
【発明が解決しようとする課題】
【０００８】
したがって、本発明は、前記のような問題を解決するために導き出されたものであり、本発明の課題は、震動にも揺れないように耐震性を有するコンテナを提供することである。
【課題を解決するための手段】
【０００９】
本発明に係るコンテナは、底部と、底部と対向する天井部と、底部と天井部とを連結する側壁部と、底部、天井部、および側壁部により囲まれる内部空間に固定設置されるラック（ｒａｃｋ）とを含む。
【発明の効果】
【００１０】
本発明に係るコンテナは、底部と、底部と対向する天井部と、底部と天井部とを連結する側壁部と、底部、天井部、および側壁部により囲まれる内部空間に固定設置されるラック（ｒａｃｋ）とを含むことにより、震動にも揺れないように耐震性を有することができる。特に、耐震規格を満たすＩＳＯ規格サイズのＢＥＳＳコンテナを実現することができる。
【図面の簡単な説明】
【００１１】
【図１】本発明の実施形態１によるコンテナを示す斜視図である。
【図２】図１に示されているコンテナの平面図である。
【図３】本発明の実施形態１によるコンテナのアンカーユニットを示す平面図である。
【図４】発明の実施形態１によるコンテナのアンカーユニットを示す正面図である。
【図５】発明の実施形態１によるコンテナのアンカーユニットを示す左側面図である。
【図６】本発明の実施形態２によるコンテナの部分斜視図である。
【発明を実施するための形態】
【００１２】
以下、添付の図面を参照して、本発明の好ましい実施形態について詳細に説明する。しかし、本発明は、以下の実施形態によって制限または限定されるものではない。
【００１３】
実施形態１
図１は本発明の実施形態１によるコンテナを示す斜視図である。図２は図１に示されているコンテナの平面図である。図３は本発明の実施形態１によるコンテナのアンカーユニットを示す平面図である。図４は発明の実施形態１によるコンテナのアンカーユニットを示す正面図である。図５は発明の実施形態１によるコンテナのアンカーユニットを示す左側面図である。
【００１４】
以下、図１〜図５を参照して、本発明の実施形態１によるコンテナについて説明する。
【００１５】
先ず、図１および図２を参照すると、本発明の実施形態１によるコンテナは、底部１１０と、天井部１１１と、側壁部１１３と、ラック（ｒａｃｋ）１２０とを含む。
【００１６】
ラック１２０は、バッテリーが積載されるようにする構成である。ラック１２０は、バッテリーが載置される支持台（図示せず）などを備えることができる。また、ラック１２０は、所定の空間に区画されるように内部が分けられて形成されてもよい。
【００１７】
底部１１０は、ラック１２０が載置され得る底面を含む部分であってもよい。天井部１１１は、底部１１０の上部に位置し、底部１１０と対向する構成であってもよい。
【００１８】
側壁部１１３は、底部１１０と天井部１１１とを連結する構成であってもよい。側壁部１１３は、重力によって、天井部１１１が底部１１０に落ちないように天井部１１１を支持する構成であってもよい。また、ラック１２０の周りでラック１２０の側面を囲む構成であってもよい。
【００１９】
ラック１２０は、底部１１０、天井部１１１、および側壁部１１３により囲まれる内部空間に固定設置されてもよい。それにより、外部の震動にも揺れることなく安定して固定され得る。結果、コンテナの内部のラック１２０に貯蔵されたバッテリーを安定して貯蔵、保管、および維持することができる。
【００２０】
本発明の実施形態１によるコンテナ１００は、揺れを防止し、耐震性を有するために様々な特徴を備えることができる。
【００２１】
先ず、ラック１２０は、側壁部１１３に固定されるように設置されてもよい。一例として、ボルト結合によりラック１２０が側壁部１１３に固定されてもよい。当然、ボルト結合ではない構成でラック１２０が側壁部１１３に固定されてもよい。
【００２２】
図２を参照すると、ラック１２０は、側壁部１１３に向かって突出する壁面突出部１２１を備えることができる。壁面突出部１２１が側壁部１１３の支持を受けることで揺れをさらに防止することができる。壁面突出部１２１が側壁部１１３に形成された溝に挿入された状態で側壁部１１３の支持を受けることができる。具体的には、壁面突出部１２１は、ラック１２０の上部および中央部から突出する形態で設けられてもよい（図１参照）。ラック１２０がコンテナの側壁部１１３に固定されることで、荷重が分散する効果を得ることもできる。
【００２３】
本発明の実施形態１によるコンテナ１００においてラック１２０は、複数個が一列に連結されてもよい。特に、ラック１２０は、コンテナの長さ方向Ｘに隣接して一列に配列されてもよい。また、ラック１２０は、隣接するラック１２０とボルトにより互いに締結されてもよい。かかる締結によってラック１２０がより安定して固定され得る。
【００２４】
かかる締結についてより具体的に説明すると、ラック１２０は、隣接するラック１２０に接する側面部１２３を含み、ボルトは、側面部１２３に締結されてもよい。側面部１２３において４点ずつＭ６ボルトを使用して締結されてもよい。
【００２５】
本発明の実施形態１によるコンテナ１００は、底部１１０の一側Ｖに位置するラック１２０と底部１１０の他側Ｗに位置するラック１２０を互いに連結するクロスバー１２５を含んでもよい。クロスバー１２５は、底部１１０の一側Ｖに位置するラック１２０と底部１１０の他側Ｗに位置するラック１２０との相対的な移動を制限する役割を果たすことができる。
【００２６】
ラック１２０は、ラック１２０を上下方向に支持するラックポスト１３０を含んでもよく、クロスバー１２５は、このラックポスト１３０に連結されてもよい。クロスバー１２５は、特に、ラックポスト１３０の最上部に連結されてもよい。
【００２７】
かかるラックポスト１３０は、より拡張した形態で設けられてもよい。これについて具体的に説明する。
【００２８】
図１および図２を参照すると、本発明の実施形態１によるコンテナ１００は、底部１１０の一側Ｖに位置する複数個のラック１２０が一列に連結されて形成される第１のラック列１２７と、底部１１０の他側Ｗに位置する複数個のラック１２０が一列に連結されて形成される第２のラック列１２９と、第１のラック列１２７と第２のラック列１２９を互いに連結するクロスバー１２５とを含んでもよい。かかるクロスバー１２５は、第１のラック列１２７と第２のラック列１２９との相対的な移動を制限することができる。
【００２９】
また、第１のラック列１２７は、第１のラック列１２７を上下に支持する第１のラック列ポスト１３１を含み、第２のラック列１２９は、第２のラック列１２９を上下に支持する第２のラック列ポスト１３３を含んでもよく、クロスバー１２５は、この第１のラック列ポスト１３１と第２のラック列ポスト１３３を互いに連結する構成であってもよい（図１参照）。
【００３０】
一つのラック１２０の場合に比べ、このように一列に配列されて固定されたラック列同士がクロスバー１２５によって互いに連結されるようにすると、ラック１２０の揺れがさらに防止され、一層大きい耐震性を備えることができる。特に、クロスバー１２５として剛性部材を用いると、ラック１２０の相対的な位置はより強く固定され得る。
【００３１】
また、クロスバー１２５は、第１のラック列ポスト１３１の最上部と第２のラック列ポスト１３３の最上部において互いに連結されてもよい。しかし、このように、クロスバー１２５がラック列ポストの最上部に位置するようにすると、揺れをさらに防止することができる。
【００３２】
その理由は、次のとおりである。すなわち、底部１１０に接しているか底部１１０に付着されたラック１２０は、底部１１０から離れるほど揺れがさらにひどくなり得る。底部１１０に付着されている部分は、付着力または摩擦力により揺れないことができる一方、底部１１０から最も離れた箇所は、流動半径が最も大きいため最も大きく動きが生じるためである。
【００３３】
一方、底部１１０から最も離れた位置がラック１２０の最上部であり、そのため、ラック１２０の最上部では揺れが最も大きく生じ得る。したがって、上述のように、ラック１２０の最上部にクロスバー１２５を位置付けることは、ラック１２０の揺れを最大限に防止できる方法となる。
【００３４】
さらに、クロスバー１２５がラック列ポストの最上部に位置するようにすると、第１のラック列１２７と第２のラック列１２９との間の通路が確保され得るため、より有利な構成になり得る。
【００３５】
また、図１を参照すると、本発明の実施形態１によるコンテナ１００は、角をなして接する側壁部１１３の二つの面と底部１１０が接するコーナキャスティング（ｃｏｒｎｅｒ  ｃａｓｔｉｎｇ）部１１５においてコーナキャスティング部１１５を囲む補強部材１４０をさらに含んでもよい。補強部材１４０は、震動を吸収または緩衝する役割を果たすことができる。
【００３６】
また、コンテナ１００の長さ方向の一側コーナに設けられる補強部材１４０と他側コーナに設けられる補強部材１４０との間に少なくとも一つ以上のアンカーユニット１５０が設けられてもよい。
【００３７】
図１を参照すると、アンカーユニット１５０は、側壁部１１３の一面と底部１１０とが接する角部１１７を支持するように構成されてもよい。具体的には、アンカーユニット１５０について、図１、図３、図４、および図５を参照して説明する。
【００３８】
アンカーユニット１５０は、側壁部１１３と互いに対向する第１の部材１５１と、底部１１０と平行な方向に第１の部材１５１の下端部から延びる第２の部材１５３と、第１の部材１５１と第２の部材１５３を連結し、第１の部材１５１と第２の部材１５３とを支持するリブ部材１５５と、第１の部材１５１から側壁部１１３に向かって突出し、側壁部１１３に挿入される突出部材１５７とを含んでもよい。
【００３９】
突出部材１５７は、側壁部１１３に形成された溝に挿入されてもよい。かかる挿入によりアンカーユニット１５０は側壁部１１３に強固に結合され得る。アンカーユニット１５０は、補強部材１４０と補強部材１４０との間においてコンテナ１００をより強固に支持する役割を果たすことができる。アンカーユニット１５０が存在しない時よりもアンカーユニット１５０が存在する時に、コンテナ１００の荷重が分散する効果が生じ得る。補強部材１４０のみ存在する時よりもさらに多い点でコンテナを支持する効果が発揮される場合に特にそうである。
【００４０】
以上で説明した通り、本発明の実施形態１によるコンテナ１００は、揺れを防止する特徴構成を含むことにより、震動にも揺れない耐震性を有することができ、特に、耐震規格を満たすＩＳＯ規格サイズのＢＥＳＳコンテナを実現することができる。
【００４１】
実施形態２
図６は本発明の実施形態２によるコンテナの部分斜視図である。
【００４２】
本発明の実施形態２によるコンテナは、上述の実施形態１によるコンテナと類似した構成を有する。ただし、ブラケットがさらに設けられるという点において実施形態１と差がある。
【００４３】
参考までに、上述の構成と同じ（または相当の）部分に対しては同じ（または相当の）図面符号を与え、それに関する詳細な説明は省略する。
【００４４】
以下、図６を参照して、本発明の実施形態２によるコンテナ２００について説明する。
【００４５】
本発明の実施形態２によるコンテナ２００において、ラックは、複数個が一列に連結されるように設置されてもよい。また、それぞれのラックは、ラックを上下方向に支持するラックポスト２３０を含んでもよい。
【００４６】
ブラケット２６０は、かかるラックポスト２３０とラックポスト２３０を互いに連結して固定させる構成であってもよい。このために、ブラケット２６０は、ラックポスト２３０に付着される付着部２６１と、複数個の付着部２６１を互いに連結する長いロッド部２６３とを含んでもよい。かかるブラケット２６０は、ラックポスト２３０の上部と下部の２箇所に設置されてもよい。
【００４７】
本発明の実施形態２によるコンテナ２００は、ブラケット２６０を含むことにより、コンテナの長さ方向への揺れをより確実に防止することができ、これにより、バッテリーの安定性がさらに保障され得る。
【００４８】
以上、本発明は、限定された実施形態と図面により説明されているものの、本発明はこれによって限定されず、本発明が属する技術分野において通常の知識を有する者により、本発明の技術思想と後述する特許請求の範囲の均等範囲内で様々な実施が可能であることは言うまでもない。
【符号の説明】
【００４９】
１００    コンテナ
１１０    底部
１１１    天井部
１１３    側壁部
１１５    コーナキャスティング部
１１７    角部
１２０    ラック（ｒａｃｋ）
１２１    壁面突出部
１２３    側面部
１２５    クロスバー
１２７    第１のラック列
１２９    第２のラック列
１３０    ラックポスト
１３１    第１のラック列ポスト
１３３    第２のラック列ポスト
１４０    補強部材
１５０    アンカーユニット
１５１    第１の部材
１５３    第２の部材
１５５    リブ部材
１５７    突出部材
２００    コンテナ
２３０    ラックポスト
２６０    ブラケット
Ｖ        一側
Ｗ        他側
【図１】
0006758665.tif 000002
【図２】
0006758665.tif 000003
【図３】
0006758665.tif 000004
【図４】
0006758665.tif 000005
【図５】
0006758665.tif 000006
【図６】
0006758665.tif 000007